(57)【要約】【課題】部品点数や作業工程が少ない配線モジュールを提供する。【解決手段】正極及び負極の電極端子を有する蓄電素子を複数個並べてなる蓄電素子群に取り付けられる配線モジュールであって、電極端子に重ねられて隣り合う電極端子を電気的に接続するバスバーと、バスバーに重ねられる板状の検知部を有してバスバーの温度を検知する温度検知部材と、バスバーおよび温度検知部材を保持する絶縁プロテクタと、絶縁プロテクタの少なくとも一部を覆うカバーと、を備え、検知部はバスバーのうち電極端子に重ねられる領域以外の領域に重ねられており、カバーには、当該カバーが絶縁プロテクタを覆った状態において、検知部をバスバーに向けて押圧する押圧部が設けられている。【選択図】図９
2016100247.tif 000002
【特許請求の範囲】
【請求項１】
正極及び負極の電極端子を有する蓄電素子を複数個並べてなる蓄電素子群に取り付けられる配線モジュールであって、
前記電極端子に重ねられて隣り合う前記電極端子を電気的に接続するバスバーと、
前記バスバーに重ねられる板状の検知部を有して前記バスバーの温度を検知する温度検知部材と、
前記バスバーおよび前記温度検知部材を保持する絶縁プロテクタと、
前記絶縁プロテクタの少なくとも一部を覆うカバーと、を備え、
前記検知部は前記バスバーのうち前記電極端子に重ねられる領域以外の領域に重ねられており、
前記カバーには、当該カバーが前記絶縁プロテクタを覆った状態において、前記検知部を前記バスバーに向けて押圧する押圧部が設けられている配線モジュール。
【請求項２】
前記カバーは前記絶縁プロテクタを覆った状態において、前記検知部を覆うとともに前記バスバーのうち前記電極端子に重ねられる領域を外部に露出させている請求項１に記載の配線モジュール。
【請求項３】
前記カバーはヒンジ部により前記絶縁プロテクタと一体的に設けられている請求項１または請求項２に記載の配線モジュール。
【請求項４】
前記カバーには、前記絶縁プロテクタに係止される被係止部が設けられている請求項１ないし請求項３のいずれか一項に記載の配線モジュール。
【発明の詳細な説明】
【技術分野】
【０００１】
本明細書に開示される技術は、配線モジュールに関する。
【背景技術】
【０００２】
電気自動車やハイブリッド車用の蓄電モジュールにおいては、出力を大きくするために、複数の蓄電素子が横並びに接続されている。複数の蓄電素子は、隣り合う電極端子間をバスバーなどの接続部材で接続することにより、直列や並列に接続されるようになっている。
【０００３】
このような蓄電モジュールを高温状態で使用すると寿命が低下することがあり、リチウムイオン電池などを複数個接続してなる蓄電モジュールでは、充電の際に過度に高温になることがある。そこで、このような事態を避けるべく、蓄電モジュールには蓄電素子の温度を検知するための温度センサが取り付けられる。
【０００４】
温度センサとしては、例えば、バスバーやバスバーに重ねられる電圧検知端子等に対して重ねて配される平板状の検知部を備え、この検知部に挿通孔を形成したものがある。この挿通孔に、電極端子の電極ポスト、あるいは、電極端子の孔部に締結するボルトを挿通し、バスバーや電圧検知端子を電極端子に締結接続する際にこれらと共締めすることにより、温度センサを蓄電素子に熱的に取り付ける構成とされている。
【先行技術文献】
【特許文献】
【０００５】
【特許文献１】特開２０１４−１９１９５４号公報
【発明の概要】
【発明が解決しようとする課題】
【０００６】
ところで近年、バスバーと電極端子との接続において、ボルトやナット等の締結に代えて、レーザー溶接による接続方法が提案されている。しかしこのような接続方法が採用された場合、上述した構成の温度センサをバスバーに固定するためには温度センサ専用の締結部材が必要となり、部品点数が増加するとともに、固定作業も別途必要となる。
【０００７】
本明細書に開示される技術は上記のような事情に基づいて完成されたものであって、部品点数や作業工程が少ない配線モジュールを提供することを目的とする。
【課題を解決するための手段】
【０００８】
上記課題を解決するものとして本明細書に開示される技術は、正極及び負極の電極端子を有する蓄電素子を複数個並べてなる蓄電素子群に取り付けられる配線モジュールであって、前記電極端子に重ねられて隣り合う前記電極端子を電気的に接続するバスバーと、前記バスバーに重ねられる板状の検知部を有して前記バスバーの温度を検知する温度検知部材と、前記バスバーおよび前記温度検知部材を保持する絶縁プロテクタと、前記絶縁プロテクタの少なくとも一部を覆うカバーと、を備え、前記検知部は前記バスバーのうち前記電極端子に重ねられる領域以外の領域に重ねられており、前記カバーには、当該カバーが前記絶縁プロテクタを覆った状態において、前記検知部を前記バスバーに向けて押圧する押圧部が設けられていることを特徴とする。
【０００９】
上記構成によれば、温度検知部材の検知部を絶縁プロテクタに保持されたバスバーに重なるように配した状態としてから、絶縁プロテクタをカバーで覆うと、カバーに設けられた押圧部が、温度検知部材の検知部をバスバーに向けて押圧するようになっている。従って、温度検知部材をバスバーに対して固定する締結部材を新たに設けたり、固定作業を別途行う必要がなく、部品点数や作業工数が少ない配線モジュールを提供することができる。
【００１０】
上述した配線モジュールは、以下の構成を有してもよい。
【００１１】
カバーは絶縁プロテクタを覆った状態において、検知部を覆うとともにバスバーのうち電極端子に重ねられる領域を外部に露出させる構成としてもよい。
【００１２】
このような構成とすると、カバーの押圧部により、検知部をバスバーに対してずれないように保持させた状態としつつ、バスバーが露出した部分において、例えばレーザー溶接等により、バスバーと電極端子との接続を行うことができる。
【００１３】
カバーはヒンジ部により絶縁プロテクタと一体的に設けられていてもよい。
【００１４】
このような構成とすると、部品点数をより少なくすることができる。
【００１５】
前記カバーには、前記絶縁プロテクタに係止される被係止部が設けられていてもよい。
【００１６】
このような構成とすると、カバーが絶縁プロテクタに係止されるので、温度検知部材の移動規制状態を維持することができる。
【発明の効果】
【００１７】
本明細書に開示される技術によれば、温度検知部材を備えた配線モジュールにおいて、部品点数や作業工程が少ない配線モジュールが得られる。
【図面の簡単な説明】
【００１８】
【図１】一実施形態の単電池群の平面図
【図２】温度検知部材の平面図
【図３】同じく側面図
【図４】温度検知部材配置前の配線モジュールの平面図
【図５】図４のＡ−Ａ線における一部拡大断面図
【図６】温度検知部材を配置した状態の配線モジュールの平面図
【図７】図６のＢ−Ｂ線における一部拡大断面図
【図８】完成形態の電池モジュールの平面図
【図９】図８のＣ−Ｃ線における断面図
【発明を実施するための形態】
【００１９】
本明細書に記載の配線モジュール２０を電池モジュールＭに適用した一実施形態を、図１ないし図９を参照しつつ説明する。
【００２０】
本実施形態に係る電池モジュールＭは、電気自動車又はハイブリッド自動車等の車両（図示せず）に搭載されて、車両を駆動するための電源として使用される。電池モジュールＭは、電池パック１１（蓄電素子の一例）を複数並べてなる単電池群１０（蓄電素子群の一例）と、単電池群１０に取り付けられた配線モジュール２０と、を備える（図８参照）。
【００２１】
以下の説明において、図８における下側を前方とし、上側を後方（奥方）とする。また、図９における上側を上方とし、下側を下方とする。また、複数の同一部材については、一の部材に符号を付し、他の部材については符号を省略することがある。
【００２２】
（単電池群１０）
本実施形態の電池モジュールＭは、４個の単電池（図示せず）を直列接続してなる電池パック１１を複数並べてなる単電池群１０を有する（図１参照）。本実施形態において、単電池は厚みの薄いラミネート型の単電池であり、その内部には発電要素が収容されている。
【００２３】
本実施形態の電池パック１１は、扁平な略直方体形状をなしている。電池パック１１の上面には、長手方向の両端部寄りの位置に、正極および負極の電極端子１２Ａ，１２Ｂが上方に突出して形成されている。正極の電極端子１２Ａおよび負極の電極端子１２Ｂは同形同大である。各電極端子１２Ａ，１２Ｂは四角柱状をなしており、その上面は平坦な電極面とされている。複数の電池パック１１は、隣り合う電極端子１２が異なる極性となるように並べられ、単電池群１０を構成している。隣り合う電池パック１１は、後述するバスバー２１により電気的に接続される。
【００２４】
正極および負極の電極端子１２Ａ，１２Ｂの間には、図１および図９に示すように、上方が開口した筒状のコネクタ部１３が設けられている。コネクタ部１３の外壁には、相手側のコネクタ４０を係止する係止突部１４が形成されている。
【００２５】
コネクタ部１３内には各単電池と接続された４つの雄型の端子１５が突出して配されている。これら４つの端子１５は、相手方のコネクタ４０の端子４７と電気的に接続されるようになっている。
【００２６】
（配線モジュール２０）
配線モジュール２０は、隣り合う電池パック１１の正極の電極端子１２Ａおよび負極の電極端子１２Ｂに接続される金属製の複数のバスバー２１と、バスバー２１を保持するバスバー保持部２４を有する絶縁材料からなる絶縁プロテクタ２３と、バスバー２１の温度を検知する温度検知部材５１と、を備える。
【００２７】
（バスバー２１）
バスバー２１は、銅、銅合金、ステンレス鋼（ＳＵＳ）、アルミニウム等からなる金属製の板材を所定の形状にプレス加工することにより形成され、例えば図４に示すように、全体として略長方形状をなしている。
【００２８】
（絶縁プロテクタ２３）
絶縁プロテクタ２３は、複数の連結ユニット２３Ａを連結してなり、図８に示すように、電池パック１１の並び方向（図８における左右方向）に細長い形状をなしている。絶縁プロテクタ２３には、上方に開口すると共に外部と仕切ってバスバー２１を保持可能な仕切壁を有する複数のバスバー保持部２４が、その長手方向に沿って２列に並んで設けられている。各バスバー保持部２４には、バスバー２１が上方に抜けるのを防止する押さえ片２９が複数形成されている。
【００２９】
２列のバスバー保持部２４のうち、奥方（図４における上側）に並んでいるバスバー保持部２４の外側壁２４Ａは、一部が切り欠かれており、後述する温度検知部材５１の検知部５４を通す通し部２５とされている。通し部２５は、所定の一のバスバー保持部２４の外側壁２４Ａのうち、その伸び方向における中央部（配線モジュール２０が単電池群１０に取り付けられた状態における、隣り合う電極端子１２の間に対応する位置）に設けられている。
【００３０】
通し部２５の幅寸法は、後述する温度検知部材５１の検知部５４の幅寸法と同等あるいは同等より僅かに大きい寸法に設定されている。また、通し部２５の底部２５Ａは、バスバー２１がバスバー保持部２４内に収容された状態において、バスバー２１の上面と面一になる高さに設定されている（図５参照）。
【００３１】
また、図４に示すように、奥方に並んでいるバスバー保持部２４の外側には、後述する温度検知部材５１の素子収容部５３を受け入れる受入溝３１が形成されている。
【００３２】
受入溝３１は複数のバスバー保持部２４の並び方向（図４の左右方向）に伸びて形成されている。受入溝３１には、図６に示すように、後述する温度検知部材５１の素子収容部５３および素子収容部５３から導出された電線Ｗ２が配されている。受入溝３１の上方は開口している。
【００３３】
また、２列のバスバー保持部２４のうち、奥方に並んでいるバスバー保持部２４の外側壁２４Ａにおいては、隣り合うバスバー保持部２４の間に、後述するカバー３３を係止する第１カバー係止孔３０Ａが設けられているとともに、内側壁２４Ｂにおいては、一のバスバー保持部２４の長さ方向（左右方向）の中央部に、同じくカバー３３を係止する第２カバー係止孔３０Ｂが設けられている。これらの第１カバー係止孔３０Ａ、および、第２カバー係止孔３０Ｂの孔壁には、カバー３３側に設けた後述する第１ロック片（図示せず）および第２ロック片３５Ｂの第１ロック突部３６Ａ（被係止部の一例）および第２ロック突部３６Ｂ（被係止部の一例）を受け入れる第１係止部（図示せず）および第２係止部３０Ｂ１が形成されている（図９参照）。
【００３４】
２列のバスバー保持部２４の間には、コネクタ保持部２６が設けられており、コネクタ保持部２６と各バスバー保持部２４の間にはそれぞれ電線収容溝２７が設けられている。
【００３５】
電線収容溝２７は、コネクタ保持部２６に保持されるコネクタ４０の端子収容部４５に収容される端子４７の一端部に接続される電線Ｗ１を収容するためのものである。
【００３６】
２つの電線収容溝２７は、図５に示すように、一対の溝壁部２７Ａ，２７Ｂおよびこれらをつなぐ底部２７Ｃを有しており、その内部に複数の電線Ｗ１を収容可能としている。
【００３７】
また、電線収容溝２７の上端縁には、電線収容溝２７から電線Ｗ１のはみ出しを規制する電線固定部２８が、一方の溝壁部２７Ａから他方の溝壁部２７Ｂに至って設けられている。電線固定部２８は、隣り合うバスバー保持部２４の間に位置して設けられている。
【００３８】
本実施形態においては、２つの電線収容溝２７の間にコネクタ保持部２６が設けられている。コネクタ保持部２６は、コネクタ４０の外周に沿った形状をなしている。
【００３９】
（カバー３３）
本実施形態では、絶縁プロテクタ２３の一部を覆うカバー３３が設けられている。本実施形態では、カバー３３は絶縁プロテクタ２３（受入溝３１の溝壁）とヒンジ３２を介して一体となっている。カバー３３は絶縁プロテクタ２３と同様に絶縁材料からなる。
【００４０】
カバー３３は、受入溝３１の伸び方向（図４の左右方向）に沿って伸びて受入溝３１の開口を上方から覆う本体部３４を有しており、本体部３４のうち絶縁プロテクタ２３の通し部２５に対応する部分には、受入溝３１の伸び方向と直交する方向（前後方向）に延びる延出部３７が延出形成されている。この延出部３７の本体部３４からの延出寸法は、バスバー保持部２４の幅寸法（図４の上下方向の寸法）とほぼ同等の寸法とされている。また延出部３７の幅寸法は、通し部２５および検知部５４の幅寸法よりも大きい寸法とされている。
【００４１】
延出部３７のうち、カバー３３が閉じた状態における内面側（下面側）には、受入溝３１の伸び方向と直交する方向に伸びる押圧リブ３８（押圧部の一例）が突出形成されている。
【００４２】
この押圧リブ３８は、図９に示すように、カバー３３が閉じた状態（本体部３４が受入溝３１を覆った状態）において、バスバー２１に重ねられた温度検知部材５１の検知部５４を上方からバスバー２１に向けて押圧する突出寸法に設定されている。また押圧リブ３８の長さ寸法は、検知部５４の長さ寸法より大きめの寸法とされており、押圧リブ３８が検知部５４を押圧した状態において、押圧リブ３８の端部が検知部５４の先端部より外側に突出するようになっている。
【００４３】
また、本体部３４の縁部のうち、カバー３３が閉じた状態において、上述した絶縁プロテクタ２３の第１カバー係止孔３０Ａに対応する位置には、第１カバー係止孔３０Ａの図示しない第１係止部に係止される第１ロック突部３６Ａ（被係止部の一例）を有する第１ロック片３５Ａが突出形成されている。
【００４４】
さらに、延出部３７の先端には、上述した絶縁プロテクタ２３の第２カバー係止孔３０Ｂの第２係止部３０Ｂ１に係止される第２ロック突部３６Ｂを有する第２ロック片３５Ｂが突出形成されている。
【００４５】
カバー３３が閉じた状態とされると、第１ロック突部３６Ａが図示しない第１係止部と係止するとともに、第２ロック突部３６Ｂが第２係止部３０Ｂ１と係止することにより、カバー３３が開かない状態に保持されるようになっている。
【００４６】
また、カバー３３が閉じた状態において、温度検知部材５１（検知部５４）は延出部３７により全体が覆われるとともに、バスバー２１のうち電極端子１２に重ねられる領域は、外部に露出される。
【００４７】
（コネクタ４０）
コネクタ保持部２６に保持されるコネクタ４０には、例えば図８に示すように、４つの端子４７が収容されるようになっている。コネクタ４０は略直方体状のハウジング４１と、ハウジング４１に収容される４個の端子４７と、を備える。
【００４８】
ハウジング４１には、図９に示すように、コネクタ部１３の係止突部１４を受け入れて電池パック１１に対し係止される係止片４２が形成されている。係止片４２には係止突部１４が嵌り込む係止孔４２Ａが形成されている。
【００４９】
ハウジング４１には、コネクタ部１３を受け入れる溝部４４が形成されている。ハウジング４１には４つの端子収容部４５が並列して形成されている。端子収容部４５の内周面には、端子収容部４５内へ撓み可能に突出することにより、端子収容部４５内に収容された端子４７と係合するランス４６が形成されている。
【００５０】
ハウジング４１に収容されている端子４７はいわゆる雌型の端子４７であり、一端部（図９における上端部）には電線Ｗ１が接続されるバレル部４８，４９が形成され、他端部（図９における下端部）には箱状をなし、単電池と接続可能な接続部５０が形成されている。
【００５１】
バレル部４８，４９は、詳細は図示しないが、電線Ｗ１の端末において露出する露出芯線（図示せず）に圧着されるワイヤバレル部４８と、電線Ｗ１の絶縁被覆により被覆されている部分に圧着されるインシュレーションバレル部４９とを有する。
【００５２】
接続部５０には、図示しない弾性接触片が形成されており、弾性接触片とコネクタ部１３の端子１５とが接触することにより単電池とコネクタ４０の端子４７とが電気的に接続されるようになっている。また、端子４７の接続部５０とバレル部４８，４９との間にはランス４６と係合する係合部（図示せず）が形成されている。
【００５３】
コネクタ４０に収容されている端子４７は単電池の電圧を検出する端子４７である。端子４７に接続されている電線Ｗ１は、端子収容部４５からハウジング４１の外側に導出され、ハウジング４１の係止片４２とは反対側の電線収容溝２７に配されて電池モジュールＭの外部に導出され、例えばＥＣＵなどのようなコントロールユニット（図示せず）に接続されている。
【００５４】
（温度検知部材５１）
温度検知部材５１は、図２および図３に示すように、図示しない温度検出素子を収容し電線Ｗ２が導出される素子収容部５３と、検知部５４と、を有する。
【００５５】
素子収容部５３は筒状をなしており、その内部に電線Ｗ２が接続された温度検出素子が収容されている。温度検出素子は、例えば、サーミスタにより構成される。サーミスタとしては、ＰＴＣサーミスタ、又はＮＴＣサーミスタを適宜に選択できる。また、温度検出素子としては、サーミスタに限られず、温度を検出可能であれば任意の素子を適宜に選択できる。
【００５６】
温度検出素子には一対の電線Ｗ２が接続されており素子収容部５３から外側に導出されている。電線Ｗ２は、図示しない外部回路に接続されており、温度検出素子からの信号はこの電線Ｗ２を介して外部回路に送信されるようになっている。外部回路は、例えば図示しない電池ＥＣＵに配されて、温度検出素子からの信号によってバスバー２１の温度を検知するようになっている。
【００５７】
検知部５４は、素子収容部５３の伸び方向の略中央部から垂直方向に延出された平板状をなしており、温度検知部材５１全体は平面視略Ｔ字形状とされている。この検知部５４は上述したバスバー２１に重ねられ、バスバー２１と面接触する。検知部５４の幅寸法（図２の左右方向の寸法）は、上述した通し部２５の幅寸法と同等あるいは同等より僅かに小さい寸法に設定されている。
【００５８】
素子収容部５３は、図３に示すように、検知部５４と比べると厚み寸法が大きくなっている。また、素子収容部５３の上面は検知部５４の上面と面一とされている。
【００５９】
本実施形態の温度検知部材５１は、銅、銅合金、ステンレス鋼（ＳＵＳ）、アルミニウム等からなる金属製の板材に加工を施すことにより作製される。温度検知部材５１は、例えば、金属板材を所定形状にプレスしたものに曲げ加工等を施すことにより筒状の素子収容部５３を形成し、電線Ｗ２を接続した温度検出素子を素子収容部５３内に入れた後、素子収容部５３内に絶縁性の樹脂（例えばエポキシ樹脂）を流し込んで固める方法などにより作製される。
【００６０】
（配線モジュール２０の組立方法）
本実施形態の配線モジュール２０を組み立てる際には、まず、バスバー２１を絶縁プロテクタ２３のバスバー保持部２４内に収容する。バスバー保持部２４内に収容されたバスバー２１は、その縁部が押さえ片２９により係止されて、上方への抜け止めがなされる。
【００６１】
次に、一端部に電線Ｗ１を接続した端子４７をコネクタ４０の端子収容部４５に収容し、このコネクタ４０をコネクタ保持部２６に嵌めこんでコネクタ保持部２６に取り付ける。
【００６２】
そして、コネクタ４０に接続された電線Ｗ１を電線収容溝２７に収容する（図４および図５参照）。電線Ｗ１を収容する際には、その電線Ｗ１が接続されているコネクタ４０のハウジング４１に設けられている係止片４２とは反対側の電線収容溝２７に収容する。
【００６３】
次に、絶縁プロテクタ２３の所定のバスバー保持部２４内に、温度検知部材５１を収容する。具体的には、温度検知部材５１の検知部５４の基端部を絶縁プロテクタ２３の通し部２５に嵌め込んで、検知部５４をバスバー２１と重なるように配するとともに、素子収容部５３を受入溝３１内に収容する。これにより、検知部５４とバスバー２１とが面接触する。温度検出素子に接続された電線Ｗ２は、受入溝３１内に配索する（図６および図７参照）。
【００６４】
次に、カバー３３をヒンジ３２のところで折り曲げて、受入溝３１の開口部を本体部３４で覆うとともに、バスバー保持部２４の一部を延出部３７で覆う。この時、カバー３３の第１ロック片３５Ａは、第１ロック突部３６Ａが第１カバー係止孔３０Ａの孔縁に当接すると外側方向にたわみ変形し、第１ロック突部３６Ａが第１カバー係止孔３０Ａ内の図示しない第１係止部に至ると弾性復帰する。これにより、第１ロック突部３６Ａが第１係止部に係止される。また、第２ロック片３５Ｂは、第２ロック突部３６Ｂが第２カバー係止孔３０Ｂの孔縁に当接すると外側方向にたわみ変形し、第２ロック突部３６Ｂが第２カバー係止孔３０Ｂ内の第２係止部３０Ｂ１に至ると弾性復帰する。これにより、第２ロック突部３６Ｂが第２係止部３０Ｂ１に係止される。
【００６５】
このようにして、カバー３３が絶縁プロテクタ２３に対して閉じた状態で保持され、温度検知部材５１の検知部５４が押圧リブ３８によりバスバー２１に向けて押圧された状態となる（図８および図９参照）。これにより、温度検知部材５１とバスバー２１とは、伝熱的に接続されるようになっている。この結果、充電または放電により電池パック１１で発生した熱は、電極端子１２からバスバー１１へと伝達され、バスバー２１から温度検知部材５１へと伝達されることとなる。
【００６６】
なお、この状態において、温度検知部材５１（検知部５４）は延出部３７により全体が覆われているとともに、バスバー２１のうち電極端子１２に重ねられる領域は、外部に露出されている。
【００６７】
（単電池群１０への組み付け方法）
次に、上述したように、温度検知部材５１、バスバー２１およびコネクタ４０を絶縁プロテクタ２３に配置した配線モジュール２０を、隣り合う電極端子１２Ａ，１２Ｂが異なる極性となるように並べて配された単電池群１０の電極面の所定位置に取り付ける。すると、電池パック１１の電極端子１２Ａ，１２Ｂの上面に、バスバー２１のうちカバー３３の延出部３７に覆われていない両端部分が配され、重ねられる。また、電池パック１１のコネクタ部１３は、コネクタ保持部２６内に配されたコネクタ４０の下方に配される。
【００６８】
次に、各バスバー２１と電極端子１２とが重ねられた部分にレーザー溶接を行い、バスバー２１と電極端子１２とを電気的に接続する。その後、各コネクタ４０を下方に押しこんでコネクタ４０と単電池とを電気的に接続する。これにより、電池モジュールＭが完成する（図８および図９参照）。
【００６９】
（本実施形態の作用、効果）
本実施形態においては、バスバー保持部２４に保持させたバスバー２１に温度検知部材５１の検知部５４を重ねて配した状態としてから、カバー３３を閉じると、カバー３３に設けた押圧リブ３８が検知部５４をバスバー２１に向けて押圧するようになっている。
【００７０】
したがって、バスバー２１に温度検知部材５１を取り付ける締結部材あるいは作業を別途設けなくてもよく、カバー３３を閉じるだけで、温度検知部材５１をバスバー２１に対して熱的に取り付けた状態に保持することができる。
【００７１】
また、カバー３３は絶縁プロテクタ２３を覆った状態において、検知部５４全体を延出部３７により覆うものの、バスバー２１のうち電極端子１２に重ねられる領域は、外部に露出させる構成とされている。従って、押圧リブ３８により検知部５４をバスバー２１に対してずれないように保持させた状態としつつ、バスバー２１が露出した部分において、例えばレーザー溶接等により、バスバー２１と電極端子１２との接続を行うことができる。
【００７２】
また、本実施形態によれば、カバー３３は絶縁プロテクタ２３に一体的に設けられているから、カバー３３を絶縁プロテクタ２３に被せ付ける際には、位置合わせを行うことなく回動操作するだけでよく、作業性に優れる。さらに、部品点数を減らすことができる。
【００７３】
また、本実施形態によれば、カバー３３には、絶縁プロテクタ２３に係止される第１ロック突部３６Ａおよび第２ロック突部３６Ｂが設けられているから、温度検知部材５１の移動を規制し、検知部５４とバスバー２１との接触状態を確実に維持することができる。
【００７４】
＜他の実施形態＞
本明細書に開示される技術は上記記述及び図面によって説明した実施形態に限定されるものではなく、例えば次のような実施形態も技術的範囲に含まれる。
【００７５】
（１）上記実施形態では、カバー３３と絶縁プロテクタ２３とが一体となったものを示したが、カバー３３と絶縁プロテクタ２３とは別体であってもよい。
【００７６】
（２）上記実施形態では、カバー３３は絶縁プロテクタ２３を覆った状態において、検知部５４を覆うとともにバスバー２１のうち電極端子１２に重ねられる領域を外部に露出させる構成としたが、これに限らず、バスバー２１全体を覆う構成としてもよい。このような構成とした場合には、バスバー２１と電極端子１２との接続（例えばレーザー溶接）を行った後、温度検知部材５１をバスバー２１に重ねて配置し、カバー３３を閉じて、検知部５４とバスバー２１との接触状態を保持させることができる。
【００７７】
（３）上記実施形態では、絶縁プロテクタ２３に係止されるロック突部３６が設けられているカバー３３を示したが、絶縁プロテクタ２３に係止される構造を備えないカバー３３であってもよい。
【００７８】
（４）上記実施形態では、検知部５４を、バスバー２１のうち電極端子１２Ａ，１２Ｂに重ねられる一対の領域の間に重ね合わせる構成としたが、バスバー２１に重ね合わせる領域は上記実施形態に限るものではなく、一対の電極端子とバスバーとの接続を妨げない領域であれば、どの領域に重ね合わせてもよい。
【００７９】
（５）上記実施形態では、バスバー２１と電極端子１２との接続がレーザー溶接により行われる形態を示したが、これに限らず、例えば、電極ポストとナットや、ナット状の電極端子とボルト等の締結により接続する形態のものにも、本明細書に記載の技術を適用することができる。
【００８０】
（６）温度検知部材５１の構成は、上記実施形態に限るものではなく、適宜変更することができ、要は、バスバー２１に重ねられる検知部５４を有し、その検知部５４が、カバー３３に設けた押圧部により押圧される構成であれば、どのような構成でもよい。
【符号の説明】
【００８１】
Ｍ…電池モジュール
１０…単電池群（蓄電素子群）
１１…電池パック（蓄電素子）
１２Ａ，１２Ｂ…電極端子
２０…配線モジュール
２１…バスバー
２３…絶縁プロテクタ
２４…バスバー保持部
２５…通し部
３０Ａ，３０Ｂ…カバー係止孔
３０Ａ１…係止部
３１…受入溝
３２…ヒンジ
３３…カバー
３５Ａ，３５Ｂ…ロック片
３６Ａ，３６Ｂ…ロック突部（被係止部）
３７…延出部
３８…押圧リブ（押圧部）
５１…温度検知部材
５３…素子収容部
５４…検知部
【図１】
2016100247.tif 000003
【図２】
2016100247.tif 000004
【図３】
2016100247.tif 000005
【図４】
2016100247.tif 000006
【図５】
2016100247.tif 000007
【図６】
2016100247.tif 000008
【図７】
2016100247.tif 000009
【図８】
2016100247.tif 000010
【図９】
2016100247.tif 000011